(57)【要約】【課題】段ボール箱に切り花等の長尺植物束を詰め蓋を閉じる作業を一人で行うことのでき、封函動作が容易であり、さらに各種サイズの段ボール箱に対応できる手段を提供する。【解決手段】直立したポール５に設けているスライドガイド１１に挿入された摺動可能な押え軸１２と、この押え軸１２に固定されたハンドル１４と、ポール５の下端に取付けられた台３からなり、押え軸１２を解除方向へ付勢する手段と所定位置に係止する手段とを備えた筒部７により構成されている。【選択図】  図１
2004238069.tif 000002
【特許請求の範囲】
【請求項１】
長方形状の４辺に折り畳み式の蓋を有する段ボール製の箱体に、長尺の植物束を詰めて蓋を折り畳む際に使用する箱体の封函補助装置であって、前記箱体１の短辺一側に近接して設置可能な直立したポール５と、このポール５に設けられたスライドガイド１１と、スライドガイド１１に挿入されて長手軸方向に摺動可能な押え軸１２と、この押え軸１２に固定したハンドル１４と、前記ポール５の下端に取り付けられた台３とからなる箱体の封函補助装置。
【請求項２】
前記摺動可能な押え軸１２を解除方向へ付勢する手段と、所定位置に押え軸１２を係止する手段とを有する請求項１記載の箱体の封函補助装置。
【請求項３】
筒部７がポール５に上下摺動自在に設けられた請求項１又は２に記載の箱体の封函補助装置。
【発明の詳細な説明】
【０００１】
【発明の属する技術分野】
本発明は、花卉等の長尺植物を切り花として出荷する為、その切り花を数本づつ束ねて段ボール箱に詰め、蓋をする際に使用する箱体の封函補助装置に関する。
【０００２】
【従来の技術】
畑で栽培され収穫される菊等の切り花は、所定の本数に束ねられ段ボール箱に詰めて出荷される。菊等の切り花を出荷するには、出荷基準に合わせなければならない。１０００ｍｍ前後と比較的草丈の長い又、剛性のある菊等の切り花の場合、切り花は一旦所定の本数に束ねられるが茎の上部と下部では形状が異なっている為、通常は１０本程度を一つの束として１００本入り箱には１０束、２００本入り箱には２０束を、茎の上部と下部を交互に逆向きに並べて一箱に詰める。しかし段ボール箱に詰めた後、蓋を閉じる場合花束の剛性が大きい為、蓋が持ち上がり押えた状態で閉じなければならないのが普通である。ところで上記作業を合理的に行う対策として、対向して設けられた柵状のフレームとジャッキと押え部材とで構成され、箱詰め作業を一人の作業者で行なう装置が知られている。（例えば、特許文献１参照。）。
【０００３】
以下、図８により上開きの段ボール箱の蓋を閉じる手順を説明する。図において、平面形状が長方形状の段ボール箱（箱体）１には、向かい合った短辺側に内蓋Ａ、内蓋Ｂがあり、長辺側にも向かい合った双方で開口部全体を覆う外蓋Ｃ、外蓋Ｄがある。切り花の草丈にもよるが長辺の長さは例えば９００〜１５００ｍｍ程度、短辺の長さは１５０〜５００ｍｍ程度である。図８（イ）に示すように蓋を全て開いた状態で中に花の束をいれる。花の束は前記したように箱体の開口面よりも盛り上がっているのが普通である。まず図８（ロ）に示すように短辺側の内蓋Ａを折畳み保持した状態で、次に（ハ）に示す内蓋Ｂを折畳み保持する。つづいて（ニ）のように長辺一方の外蓋Ｃを折畳むことにより保持していた短辺両側の内蓋Ａ、内蓋Ｂが上から押えられ、最後にもう片方の外蓋Ｄを折畳み外蓋双方の合わせ目に粘着テープを貼り固定する。
【０００４】
【特許文献１】
登録実用新案３０６３００４号（第１項〜第１０項  、第１図〜第６図）
【０００５】
【発明が解決しようとする課題】
本発明は、この封函作業を一人で楽に行う事ができ、更に登録実用新案第３０６３００４号の構造では、▲１▼封函動作が繁雑である点、▲２▼箱のサイズが限定される点、などの欠点を有するがこれらの欠点をも排除した簡単な装置を提供することを目的とするものである。
【０００６】
【課題を解決するための手段】
本発明は、長方形状の上面の４辺に折り畳み式の蓋を有する段ボール製の箱体に、長尺の植物束を詰めて蓋を折り畳む際に使用する箱体の封函補助装置であって、前記箱体の短辺一側に近接して設置可能な直立したポールと、このポールに設けられたスライドガイドと、スライドガイドに挿入されて長手軸方向に摺動可能な押え軸と、この押え軸に固定したハンドルと、前記ポールの下端に取り付けられた台とからなる箱体の封函補助装置を提供する。
【０００７】
また、前記摺動可能な押え軸を解除方向へ付勢する手段と、所定位置に押え軸を係止する手段とを有する前記の箱体の封函補助装置を提供する。
【０００８】
さらに望ましくは、筒部がポールに上下摺動自在に設けられた前記の箱体の封函補助装置を提供する。
【０００９】
【発明の実施の形態】
以下、本発明の実施の形態を図１〜図８に基づいて説明する。
【００１０】
図１は、本発明による箱体の封函補助装置の外観斜視図を示し、参考までに箱体との関係位置を図６に示す。
【００１１】
図においては、３は台で、その一部に封函対象物を所定位置に設置する設置板４を設けている。台３には回転可能にポール５が結合され第一固定ネジ６により固定する。またポール５には摺動可能に筒部７がはめ込まれ第二固定ネジ８により固定する。
【００１２】
図２、図３に示す筒部７の上端には、ハンドルガイド１０及びスライドガイド１１とにより一体に構成された回転アーム９が、筒部７を挟んで対象に設けられ回転可能に結合される。また、スライドガイド１１に挿入された２本の押え軸１２は一端にロック軸１３が設けられ、このロック軸１３の上部にはハンドルガイド１０を挟んで押え軸１２をほぼ水平位置に保持するハンドル１４が設けてあり、さらに双方の押え軸１２をロック軸１３とハンドル１４とで連結し、一体にしたものである。
【００１３】
また、１５は回転アーム９が所定角度以上回転したとき筒部７に当接するハンドルガイド１０に設けた第一ストッパーである。また１６は押え軸１２の先端が設置板４の箱体１との当り面から垂直に伸びた線（Ｅ）の位置の時、押え軸１２と一体であるハンドル１４が当接するハンドルガイド１０に設けた第二ストッパーである。
【００１４】
１７は筒部７の中部に固定したフックであり、図４に示すロック軸１３と係合している。この状態がロック状態であり、即ち箱体１の内蓋Ａを押え軸１２により封函した状態である。
【００１５】
図５に示す１８は引き戻しバネで、一端をハンドルガイド１０の側端に、他端をハンドル１４の一部に取付けられておりロック軸１３と、フック１７の係合が解かれるとロック軸１３と一体のハンドル１４は、引き戻しバネ１８の付勢力により第二ストッパー１６に当接する位置（Ｆ）まで移動する。この状態がロック解除状態であり、封函解除となるものである。
【００１６】
箱体は、通常図８に示す（イ）の状態から（ロ）、（ハ）、（ニ）の順に封函するものである。封函前には内蓋Ａ、内蓋Ｂ、外蓋Ｃ、外蓋Ｄは開封しており、この状態で花束等を箱体内に挿入する。
【００１７】
以下、上記構成の動作を説明する。図６の状態において箱体１に花束等を挿入する。この時点での押え軸１２は図２の位置である。続いて封函作業に移る。まず両手により、盛り上がった状態の花束等を押さえ込み内蓋Ａを折畳む、図８（ロ）に示す状態である。その後押え軸１２を、図４に示す箱体１の内蓋Ａの上側位置まで、つまり押え軸１２に設けたロック軸１３を筒部７の中部に取付けられたフック１７の上部に当接する位置まで移動させる。
【００１８】
このとき押え軸１２の先端には、内装物である花束等の抵抗により上方へ持ち上げようとする力が発生し、もう一方でハンドル１４の一部と、ハンドルガイド１０の側端に取付けられた引き戻しバネ１８にも付勢力が働いている、この為ハンドルガイド１０よりも高い位置にある押え軸１２と一体に設けられたハンドル１４は、スライドガイド１１を支点にして下方へ下がる。その結果、ハンドル１４の下部にあるロック軸１３も同時に下がりフック１７に係合するものである。即ち押え軸１２により内蓋Ａに押圧を加えた状態で保持されているものである。
【００１９】
これにより作業者は両手が自由になる為移動でき、内装物である花束等の抵抗に抗して反対側の内蓋Ｂを折畳む事ができる。この状態が図８（ハ）である。即ち一方の内蓋Ａを押え軸１２が保持し、他方である内蓋Ｂを片方の手（例えば左手）が保持している状態である。さらに続いて（ニ）に移行するには外蓋Ｃをもう一方の手（例えば右手）で折畳めばよい。
【００２０】
あるいは、外蓋Ｃの封函動作を進めるに従い、外蓋Ｃは押え軸１２に当接する。さらに動作を進めると、図５に示す押え軸１２の先端は花束等の剛性及び引き戻しバネ１８の付勢力に抗して下方に押し下げられる為スライドガイド１１を支点にし、押え軸１２に設けられたロック軸１３は上方へ跳ね上げられ、フック１７との係合が解かれる。さらにロック軸１３と一体のハンドル１４は、引き戻しバネ１８の付勢力によりハンドルガイド１０に設けた第二ストッパー１６に当接する位置（Ｆ）まで移動する。その結果、押え軸１２は図２の位置となり内蓋Ａの封函を解除するものである。
【００２１】
つまり作業者は、押え軸１２により内蓋Ａを折畳み状態で保持している押え軸１２に設けられたロック軸１３と、フック１７の係合を自らの手を使う事なく、外蓋Ｃの折畳み動作をする事で自動的に解除できる。ここまでの封函動作は図８（ニ）に示す箱体１の蓋の位置である。この時点で短辺蓋である内蓋Ａと内蓋Ｂは、長辺蓋である外蓋Ｃにより作業者の片手（例えば右手）で押圧を加えられて保持された状態である。最後に作業者のもう一方の手（例えば左手）で外蓋Ｄを折畳む事で箱体１の封函作業は完了である。
【００２２】
尚、作業終了後は図７に示すようにハンドルガイド１０を持ち上げることにより一体である回転アーム９も回転する。またポール５に結合された台３も第一固定ネジ６を緩めることにより回転できる。その結果ポール５に対してハンドルガイド１０及び台３は並行となりコンパクトに収納することができる。
【００２３】
【発明の効果】
上述したように、本発明の箱体の封函補助装置は、段ボール箱の蓋を折畳む一連の封函作業を一人の作業者で楽に、しかもワンタッチ操作で行うことができ、切り花等の長尺植物の段ボール箱への封函作業が大幅に効率化されるといった、優れた効果を発揮するものである。
【００２４】
また、回転アーム及び台を回転させることで、よりコンパクトに収納でき保管に好都合でる。さらに搬送も簡単にできる為作業現場を自由に移動でき、どこでも作業できる。
【図面の簡単な説明】
【図１】本発明による箱体の封函補助装置の外観斜視図である。
【図２】箱体と箱体の封函補助装置との関係位置を示す側面図である。
【図３】箱蓋押え機構部と押え部解除機構部の平面図である。
【図４】箱体の内蓋Ａの封函を示す側面図である。
【図５】箱蓋押え機構部と押え部解除機構部の作動図である。
【図６】箱体と箱体の封函補助装置との関係位置を示す斜視図である。
【図７】回転アーム及び台を回転させた作動図である。
【図８】封函手順を示した段ボール箱の斜視図である。
【符号の説明】
１  箱体
２  箱体の封函補助装置
３  台
５  ポール
７  筒部
１１  スライドガイド
１２  押え軸
１４  ハンドル
【図１】
2004238069.tif 000003
【図２】
2004238069.tif 000004
【図３】
2004238069.tif 000005
【図４】
2004238069.tif 000006
【図５】
2004238069.tif 000007
【図６】
2004238069.tif 000008
【図７】
2004238069.tif 000009
【図８】
2004238069.tif 000010